(57)【要約】【課題】集塵効率や捕集効率を充分に確保可能でありながら、設置スペースがコンパクトである集塵機を提供する。【解決手段】集塵機１は、吸込口１１から吸われたエア内の塵埃を集める集塵室２と、集塵室２の下流側に設けられた、送風機３５を有する駆動部４と、駆動部４の下流側に設けられた、塵埃を捕集する捕集装置６とを備えている。集塵室２の上側には、駆動部４が配置されていると共に、駆動部４の脇（後側）には、捕集装置６が配置されており、駆動部４と捕集装置６は、断面Ｌ字状のＬ字ダクト８により接続されている。【選択図】図１
2014018527.tif 000002
【特許請求の範囲】
【請求項１】
吸込口から吸われたエア内の塵埃を集める集塵室と、
当該集塵室の下流側に設けられた、送風機を有する駆動部と、
当該駆動部の下流側に設けられた、塵埃を捕集する捕集装置と
を備えており、
前記集塵室の上側に、前記駆動部が配置されていると共に、
前記駆動部の脇に、前記捕集装置が配置されており、
前記駆動部と前記捕集装置は、断面Ｌ字状のＬ字ダクトにより接続されている
ことを特徴とする集塵機。
【請求項２】
前記集塵室は、前記エアから前記塵埃を分離するサイクロンを有している
ことを特徴とする請求項１に記載の集塵機。
【請求項３】
前記Ｌ字ダクトの水平部の断面積が、前記Ｌ字ダクトの起立部の断面積より広い
ことを特徴とする請求項１又は請求項２に記載の集塵機。
【請求項４】
前記Ｌ字ダクトの水平部内に、上方へ突出するリブが設けられている
ことを特徴とする請求項１ないし請求項３の何れかに記載の集塵機。
【請求項５】
前記捕集装置は、電気捕集装置である
ことを特徴とする請求項１ないし請求項４の何れかに記載の集塵機。
【発明の詳細な説明】
【技術分野】
【０００１】
本発明は、駆動部の駆動により集塵室に塵埃を集める集塵機に関する。
【背景技術】
【０００２】
下記特許文献１に示されるように、掃除機本体ケース内に、集塵室と、電動送風機（駆動部）と、当該電動送風機からの排気に含まれる塵埃を捕集する電気集塵装置（捕集装置）を備えた電気掃除機が知られている。
電動送風機は、前方から後方へ送風するよう横向きに設置されており、その前側に集塵室が配置され、後側に電気集塵装置が配置される。
【先行技術文献】
【特許文献】
【０００３】
【特許文献１】特開平４−３４１２２８号公報
【発明の概要】
【発明が解決しようとする課題】
【０００４】
特許文献１の電気掃除機では、前側より順に集塵室、電動送風機、電気集塵装置が一直線上に並ぶので、前後に大型化し、よって作業時や保管時等において広い設置スペースを要することとなり、取り扱い難いものとなる。
更に、捕集効率向上の目的で電気集塵装置の流路を長くすると、より大型化してしまうし、大型化を控えると、電気集塵装置の流路が短くなり、その分捕集効率が低下してしまう。又同様に、集塵室や電動送風機の大きさについても、小型化と集塵効率向上の両立が困難である。
そこで、本発明は、集塵効率や捕集効率を充分に確保可能でありながら、設置スペースがコンパクトである集塵機を提供することを主な目的とするものである。
【課題を解決するための手段】
【０００５】
上記目的を達成するために、請求項１に記載の発明は、吸込口から吸われたエア内の塵埃を集める集塵室と、当該集塵室の下流側に設けられた、送風機を有する駆動部と、当該駆動部の下流側に設けられた、塵埃を捕集する捕集装置とを備えており、前記集塵室の上側に、前記駆動部が配置されていると共に、前記駆動部の脇に、前記捕集装置が配置されており、前記駆動部と前記捕集装置は、断面Ｌ字状のＬ字ダクトにより接続されていることを特徴とするものである。
請求項２に記載の発明は、上記発明において、前記集塵室は、前記エアから前記塵埃を分離するサイクロンを有していることを特徴とするものである。
請求項３に記載の発明は、上記発明において、前記Ｌ字ダクトの水平部の断面積が、前記Ｌ字ダクトの起立部の断面積より広いことを特徴とするものである。
請求項４に記載の発明は、上記発明において、前記Ｌ字ダクトの水平部内に、上方へ突出するリブが設けられていることを特徴とするものである。
請求項５に記載の発明は、上記発明において、前記捕集装置は、電気捕集装置であることを特徴とするものである。
【発明の効果】
【０００６】
本発明の内、請求項１に記載の発明によれば、集塵室の上の駆動部の脇に捕集装置が配置され、駆動部と捕集装置がＬ字ダクトにより接続されている。よって、集塵効率確保のために集塵室や駆動部、捕集装置を充分に大型なものとしても、設置スペースを小さくして、取扱い易いものとすることができる。
又、請求項２に記載の発明によれば、集塵室にサイクロンが設置されているため、上記効果に加え、より一層集塵効率を向上することが可能となる。
更に、請求項３に記載の発明によれば、Ｌ字ダクトの断面積が起立部より水平部において広いため、上記効果に加え、エアの流速を水平部において比較的に遅くすることができ、捕集装置直前におけるエアを捕集に適したものとして捕集効率をより一層向上することができる。
加えて、請求項４に記載の発明によれば、Ｌ字ダクトの水平部に内方へ突出するリブが設けられているため、上記効果に加え、捕集装置直前のエアを均等に広げた状態で捕集装置に案内することができ、捕集効率を更に向上することができる。
又、請求項５に記載の発明によれば、捕集装置が電気捕集装置であるため、上記効果に加え、極めて微細な塵埃も捕集可能として捕集性能をより一層良好にすることが可能となる。
【図面の簡単な説明】
【０００７】
【図１】本発明の第１形態に係る集塵機の上部カバーを除いた斜視図である。
【図２】図１の集塵機の分解斜視図である。
【図３】図１の集塵機の左側面図である。
【図４】図１の集塵機の上面図である。
【図５】図３のＡ−Ａ線断面図である。
【図６】図３のＢ−Ｂ線断面図である。
【図７】図３のＣ−Ｃ線断面図である。
【図８】図３のＤ−Ｄ線断面図である。
【図９】図４のＥ−Ｅ線断面図である。
【図１０】図１の集塵機から捕集装置を外した場合の斜視図である。
【図１１】本発明の第２形態に係る集塵機の左側面図である。
【図１２】図１１のＦ−Ｆ線断面図である。
【図１３】図１１の集塵機の左右方向中央の縦断面図である。
【発明を実施するための形態】
【０００８】
以下、本発明の実施の形態（第１形態・第２形態・変更例）を、適宜図面に基づいて説明する。
【０００９】
［第１形態の構成等］
図１は当該第１形態に係る集塵機１の斜視図であり、図２は集塵機１の分解斜視図であり、図３は集塵機１の左側面図（図２の左が集塵機１の前方）であり、図４は集塵機１の上面図であり、図５は図３のＡ−Ａ線断面図であり、図６は図３のＢ−Ｂ線断面図であり、図７は図３のＣ−Ｃ線断面図であり、図８は図３のＤ−Ｄ線断面図であり、図９は図４のＥ−Ｅ線断面図である。
集塵機１は、下半部が後方に延設された集塵室２と、集塵室２の前部上側に配置された駆動部４と、集塵室２の延設部の上方に配置された捕集装置６と、駆動部４及び捕集装置６の間に配置された側面視（縦断面）Ｌ字状のＬ字ダクト８を備えている。
【００１０】
集塵室２は、前部が大きい雁首状であり上面及び後面が開放された箱として形成された集塵ケース１０と、集塵ケース１０の上部前面中央に設置された筒状の吸込口１１と、集塵ケース１０の後面を塞ぐ後蓋１２と、集塵ケース１０の上部に収められるサイクロンボックス１３と、集塵ケース１０の上面を覆う中蓋１４を備える。
集塵ケース１０の上部開口の周縁には、複数の蓋ネジ孔筒１６，１６・・が配設されている。更に、集塵ケース１０の後端縁の上側左右には、上方へ突出した上面視Ｊ字状の小壁体を有する受部１７，１７が設けられている。又、集塵ケース１０の上端縁の後面左右には、後方へ突出するネジ孔筒１８，１８が設けられている。
吸込口１１は、孔の中心軸が前後に沿う前部と、孔の中心軸が前後方向から集塵ケース１０の側面に沿うような方向へ曲げられた後部とを有する筒体である。吸込口１１の後部は、左に曲げられている。
後蓋１２は、集塵ケース１０の後開口部の辺縁に対しネジ止めされている。後蓋１２を外すことで、集塵ケース１０内（特に下部）の塵埃を廃棄することが可能である。
【００１１】
サイクロンボックス１３は、円筒状のボックス本体２０の後側に小サイクロン群２１を備えた形態をとっている。サイクロンボックス１３は、その前側に間隔ができる状態で集塵ケース１０の前上部に収められる。集塵ケース１０前部内側の中央（吸込口１１を受け入れる孔の下側）には、サイクロンボックス１３の下面外縁を支えるための支持リブ２２が、内方へ突出するように設けられている。
ボックス本体２０は、渦巻状の内壁２３を有しており、ボックス本体２０の内面や内壁２３で挟まれるルートが、左回りに進むに従って内側へ向かうような形状となっている。又、内壁２３の上側であって、ボックス本体２２の右半上部周縁には、すぐ後で述べる小通路群２４が形成されている。ボックス本体２０の左には、縦長で開口を有している鉛直壁を含む段部２５が形成されている。
小サイクロン群２１は、複数（６個）の小サイクロン２６，２６・・を含んでいる。各小サイクロン２６は、下部が下へすぼんでいる円筒状の部分であって、上部にはボックス本体２０内の右外縁上部となだらかに連通する連通路２７を有している。各連通路２７は、当該小サイクロン２６における右回りの流れが滑らかとなるような向きとなっている。ボックス本体２０内の右外縁上部には、３個の周方向に沿う小通路が上下２段で確保されるような小通路群２４が形成されており、６個の連通路２７，２７・・は、何れかの小通路にそれぞれ連通する。又、各小サイクロン２６の上面開口の周縁は、上方へリング状に突出する連結部２８となっている。更に、周方向に沿う内壁２３であって、小通路群の下方における部分には、縦長のスリット２９，２９・・（図２，図９）が複数並設されている。
【００１２】
中蓋１４は、その上面後部を楕円状に囲むような上方に突出するリブ３０を備えており、その後部において、各小サイクロン２６の連結部２８と同等の大きさとして、各小サイクロン２６と対応するように形成された小開口３１が開けられている。又、リブ３０の四隅と前中央には、上方に突出する小筒部３２，３２・・が設けられている。更に、中蓋１４の周縁には、集塵ケース１０の蓋ネジ孔筒１６，１６に対応する蓋ネジ孔部３３，３３・・が配設されている。
中蓋１４は、蓋ネジ孔部３３，３３・・を集塵ケース１０の蓋ネジ孔筒１６，１６に合わせてネジ止めされることで装着される。装着時、集塵ケース１０に収められたサイクロンボックス１３におけるボックス本体２０の上側が中蓋１４により塞がれる。又、小サイクロン群２１の各連結部２８が、対応する中蓋１４の小開口３１に入る。
【００１３】
駆動部４は、ファン付きのモータである送風機３５と、これを上下で挟む上ケース３６及び中ケース３７を有している。
送風機３５は、下部に送風ファン４０を取り付けた回転軸４１を有している（図９）。送風ファン４０は、回転により、下方のエアを後方に送る。尚、回転軸４１の上部には、送風機３５冷却用の冷却ファン４２が取り付けられている。
上ケース３６は、下面が開放された楕円柱状の箱体の上側に、煙突状の筒を突設して形成されている。上ケース３６の外側面の下縁の四隅と前中央には、水平な小孔を有する上小孔部４５，４５・・が外方へ突設されている。又、上ケース３６下部後面であって、後側の上小孔部４５，４５の内側には、開口４６，４６が開けられている。更に、上ケース３６下部後面上縁であって、開口４６，４６の内側には、水平なネジ孔を有するネジ孔部４７，４７が、後方へ突設されている。
中ケース３７は、下面が開放された薄楕円柱状の箱体であり、上面中央には、円形の導入開口４８が開けられている。又、中ケース３７の上面辺縁の四隅と前中央には、水平な小孔を有する中小孔部４９，４９・・が外方へ突設されている。
駆動部４において、送風機３５は、送風ファン４０を下にして導入開口４８上側に位置させるように配置され、冷却ファン４２を上にして上ケース３６の煙突状部から露出させるように配置される。そして、中蓋１４の各小筒部３２に対し、中ケース３７の中小孔部４９と上ケース３６の上小孔部４５を重ねてネジ止めされる。このとき、送風機３５の中央部と上ケース３６の段部が重なり、上ケース３６の下部内面と中ケース３７の上面（と送風機３５の下部）で囲まれる空間が、開口４６，４６を除いて閉塞される。又、中ケース３７の下縁が中蓋１４上面のリブ３０に合致し、中ケース３７内面と中蓋１４上面で囲まれる空間が、小開口３１，３１・・（から露出した小サイクロン群２１の各連結部２８）及び導入開口４８を除き閉塞される。
【００１４】
捕集装置６は、上下面が開放された直方体状の捕集ケース５０と、捕集ケース５０の内部において左右に並べられる、それぞれ前後方向に沿っており鉛直である複数の仕切板５１，５１・・と、仕切板あるいは捕集ケース５０の内側面に張られる接地電極板５２，５２・・と、仕切板５１，５１間あるいは仕切板５１と捕集ケース５０の内側面の間において前後方向に沿うように渡される複数のビーム５３，５３・・（図７，９）と、各ビーム５３において鉛直に保持された状態で複数前後に並べられる導電体の放電電極５４，５４・・を備えている。
接地電極板５２及び放電電極５４は、互いに異なる極となるように配置されており、図示しない電源の正極又は負極に接続されていて、捕集装置６は電気を用いて塵埃を捕集する電気捕集装置となっている。
ビーム５３，５３・・は、各仕切板５１，５１間（仕切板５１と捕集ケース５０の内側面の間）において、複数設置されており、上下に並べられている。
又、各仕切板５１，５１・・及び接地電極板５２，５２・・には、上下方向に互い違いとなる状態で、非導電体の突体５５，５５・・が複数設けられている。
【００１５】
Ｌ字ダクト８は、捕集装置６を外した斜視図である図１０にも示されるように、駆動部４の上ケース３６の後面に沿うような中空湾曲板状の起立部６０と、起立部６０の下部と連通する箱状の載置台部６１（水平部）を備えている。
起立部６０の上縁の左右角部には、上ケース３６の開口４６，４６と接続される、前方に僅かに突出した薄四角筒状の接続部６２，６２が形成されている。又、起立部６０の上面であって、接続部６２，６２より内側の左右には、上ケース３６のネジ孔部４７，４７に対応するネジ孔筒６３，６３が上方へ突設されている。更に、起立部６０の側面中央であって、接続部６２，６２の下方には、鉛直なネジ孔部６４，６４が側方へ突設されている。
載置台部６１は、水平な上面の大部分において、捕集装置６の下面と同様な大きさの矩形状の台開口７０を備えている。台開口７０の辺は、左右方向あるいは前後方向に沿っている。載置台部６１の内部下面であって、台開口７０の下方には、左右方向あるいは前後方向に対して斜行するリブ７１，７１・・が、複数、上方へ立設されている。尚、リブ７１，７１・・の間には、これらより低いリブ７１ａ，７１ａ・・が、前後方向に沿うように（斜行するリブ７１と交わる面内で）設けられている。リブ７１ａ，７１ａ・・は、互いの左右方向の間隔が同等となるように配置されている。
載置台部６１の下面は、集塵ケース１０の後部上面に合わせ、後方ほど下になるような、なだらかな後下がりの面とされており、載置台部６１の左右方向に沿う鉛直断面の面積（載置台部６１のダクトとしての断面積）は、起立部６０の水平断面の面積（起立部６０のダクトとしての断面積）より広くなっている。載置台部６１の両側面の後部には、集塵ケース１０の受部１７，１７に入るような、断面Ｄ字状のガイド部７２，７２が側方へ突設されている。更に、台開口７０より一回り大きく台開口７０を覆う載置板７３（図２等）が、載置台部６１の上側に載せられている。載置板７３は、台開口７０に応じた位置を占める、複数の小孔７４，７４・・を有している。尚、載置板７３の前辺は、起立部６０下縁の湾曲形状に沿うように湾曲しており、起立部６０下縁にフィットする。
【００１６】
Ｌ字ダクト８は、各ネジ孔筒６３を上ケース３６のネジ孔部４７と合わせ、各ネジ孔部６４を集塵ケース１０のネジ孔筒１８に合わせ、各ガイド部７２を集塵ケース１０の受部１７に合わせることで、駆動部４の後側であって、集塵室２の上側（集塵ケース１０の後部上側）に設置される。このとき、接続部６２，６２が上ケース３６の開口４６，４６と接続され、駆動部４の上ケース３６内とＬ字ダクト８が連通する。
又、Ｌ字ダクト８の台開口７０の上側には、載置板７３を介して、捕集装置６が載置される。
【００１７】
［第１形態の作動例等］
このような集塵機１は、例えば次のように動作する。
即ち、捕集装置６の接地電極板５２，５２・・に通電すると共に、駆動部４の送風機３５に通電すると、送風ファン４０が回転し、送風機３５の下側から後側へエアを送り続ける。送風機３５下側の空間は、次から述べるように吸込口１１まで繋がっているし、送風機３５後側の空間は、後述するように捕集装置６まで繋がっているため、吸込口１１（上流）から捕集装置６（下流）にかけて、エアの流れが発生する。
【００１８】
吸込口１１から吸われたエアは、集塵ケース１０の内面左側に沿うように案内され、ボックス本体２０左の段部２５からボックス本体２０内に導入されて、渦巻状に流れる。この渦巻状の流れによるサイクロン効果により、比較的に大きい塵埃が遠心分離されて、適宜ボックス本体２０内面か又はスリット２９，２９・・を通過してボックス本体２０の内面に当たり、集塵ケース１０下面へ落下する。かような塵埃分離後のエアは、内壁２３を含む仮想的円筒の中心軸（渦巻の中心）付近を上昇し、小通路群２４の前側端部から各小通路に入って、各小サイクロン２６内に至る。
各小サイクロン２６では、その内部で螺旋状に下がった後、小サイクロン２６の下すぼまりのテーパ部において折り返して当該螺旋の中心を上がり、連結部２８に至るエアの流れが発生し、ボックス本体２０における渦巻（螺旋）より径の小さい当該螺旋によるサイクロン効果により、比較的に小さい塵埃が遠心分離されて下方（集塵ケース１０内）に落下する。
【００１９】
各連結部２８に到達したエアは、中ケース３７内で集合し、導入開口４８を介して送風機３５に取り込まれ、上ケース３６下部後方に排気される。
排気に係るエアは、開口４６，４６よりＬ字ダクト８の接続部６２に導入され、起立部６０から載置台部６１に至る。
載置台部６１のエアは、リブ７１，７１ａ・・に当たり、リブ７１，７１ａ・・の無い場合と比較して、台開口７０の範囲でより均等に分散された状態で上方に向けられる。特に、リブ７１が斜行していることや、リブ７１ａがリブ７１より低いこと、あるいはリブ７１，７１ａが互いに交わる方向を向いていることにより、エアが良好に分散される。
上方へのエアは、台開口７０を介し、載置板７３の多数の（互いに詰まった）小孔７４，７４・・を通過する。この通過によっても、エアの強さの分布が均等化される。
【００２０】
そして、エアは、捕集装置６に至り、何れかの一対の接地電極板５２，５２及び放電電極５４の間を抜ける。この際、エアは、突体５５，５５・・に当たり、これらのない場合に比べ、通過距離が長い状態で、接地電極板５２と放電電極５４の間を流れる。又、エアに含まれる極めて微細な塵埃は、接地電極板５２と放電電極５４により、電気を帯びて（イオン化して）、接地電極板５２に吸着されることとなる。
よって、捕集装置６を通ったエアは、大きな塵埃から微細な塵埃まで除去されたものとなる。微細な塵埃は、捕集装置６の電圧印加停止により、Ｌ字ダクト８の載置台部６１に落下する。載置台部６１に蓄積された塵埃は、捕集装置６や載置板７３を外すことで、台開口７０より取り出せる。尚、集塵室２に蓄積された塵埃は、後蓋１２等の開放により取り出すことができる。
【００２１】
［第１形態の作用効果等］
以上の集塵機１では、吸込口１１から吸われたエア内の塵埃を集める集塵室２と、集塵室２の下流側に設けられた、送風機３５を有する駆動部４と、駆動部４の下流側に設けられた、塵埃を捕集する捕集装置６とを備えており、集塵室２の上側に、駆動部４が配置されていると共に、駆動部４の脇（後側）に、捕集装置６が配置されており、駆動部４と捕集装置６は、断面Ｌ字状のＬ字ダクト８により接続されているため、駆動部４と捕集装置６が前後に並ぶ一方、これらと集塵室２が上下に並ぶこととなり、集塵室２・駆動部４・捕集装置６が前後に並ぶ集塵機に比べ設置面積が少なくて済むし、これらが上下に並ぶ集塵機に比べ高さが高すぎずに済み、集塵機１を立方体に近い安定した状態としてコンパクトで取り扱い易くすることが可能となる。
又、集塵室２は、エアから塵埃を分離する小サイクロン群２１を有しているので、サイクロンボックス１３のボックス本体２２の内壁２３により発生するサイクロンにおける塵埃の分離と併せ、分離部分を多様化する（サイクロン径を多種化する）ことができ、大小様々な大きさの塵埃を除去することが可能となる。
【００２２】
更に、Ｌ字ダクト８の載置台部６１の断面積が、Ｌ字ダクト８の起立部６０の断面積より広いので、起立部６０からのエアの流速を載置台部６１において比較的に遅くすることができ、捕集装置６に入るエアを穏やかに広げることが可能となって、捕集効率を良好なものとすることができ、排気を均一にすることができる。
又更に、Ｌ字ダクト８の載置台部６１内に、上方へ突出するリブ７１，７１ａが設けられているため、捕集装置６に入るエアを均一に広げた状態で捕集装置６の方に案内することができ、より一層の捕集効率の向上や排気の均一化を図ることができる。
加えて、捕集装置は、電気捕集装置であるので、集塵室２（サイクロンボックス１３）で除去しきれないような極めて微細な塵埃であっても確実に捕集することが可能となる。
【００２３】
尚、仕切板５１や接地電極板５２には、突体５５，５５・・が設けられるため、接地電極板５２や放電電極５４の間におけるエアの通過距離を長くすることができ、エアに含まれる塵埃に対し電気をより多く帯びさせて、塵埃の吸着をより一層充分に効率良く行うことができる。
ここで、突体５５，５５・・に関する発明を例示する。
（１）吸込口から吸われたエア内の塵埃を集める集塵室と、
当該集塵室の下流側に設けられた、送風機を有する駆動部と、
当該駆動部の下流側に設けられた、塵埃を捕集する捕集装置と
を備えており、
前記捕集装置は、接地電極板及び放電電極を有する電気捕集装置であり、前記接地電極板及び前記放電電極の間において突出する突体が設けられているものである
ことを特徴とする集塵機。
【００２４】
（２）前記突体は、非導電体である
ことを特徴とする（１）に記載の集塵機。
突体が非導電体であることにより、短絡や電界異常の防止のために突体や電極板の設計や配置を考慮する必要がなく、効率の良好な集塵のためのエアの流れを簡易に追求することができる。
尚、突体は放電電極５４に設けても良く、これを考慮すると次の発明が導かれる。
（３）前記突体は、前記接地電極板及び／又は前記放電電極に配置されている
ことを特徴とする（１）又は（２）に記載の集塵機。
【００２５】
［第２形態等］
図１１は本発明の第２形態に係る集塵機１０１の左側面図であり、図１２は図１１のＦ−Ｆ線断面図であり、図１３は集塵機１０１の左右方向中央の縦断面図である。
集塵機１０１は、捕集装置１０３以外は第１形態と同様に成る。以下、第１形態と同様の部材には同符号を付して説明する。
捕集装置１０３は、第１形態の捕集装置６に、捕集装置延設部１０５を載置したものとなっている。
捕集装置延設部１０５は、その下側の捕集装置６における接地電極板５２と放電電極５４の間隔より狭い間隔で設置される各上部仕切板１０９と、各上部仕切板１０９の表面に設けられる電極板１１０，１１０を有する。
電極板１１０，１１０・・は、向かい合う一対が互いに異なる極となるように配置されている。又、電極板１１０，１１０・・は、接地電極板５２や放電電極５４とは別個の電圧を印加可能とするため、これらとは異なる電源供給回路と電気的に接続されていても良い。電極板１１０，１１０・・は、平行平板であるため、火花放電電圧が高い。つまり、一対の電極板１１０，１１０において、より高い電圧を電極間に印加することが可能となる。これにより、電極間の電圧を高くする、又は、電極間を狭くすることでより高い電界を形成し、帯電した塵埃を効果的に吸着する。
一対の電極板１１０，１１０の間においては、接地電極板５２，５２間とは異なり、ビーム５３，５３・・や放電電極５４，５４・・や突体５５，５５・・は配置されていない。
【００２６】
集塵機１０１の動作例であるが、捕集装置１０３の手前までは第１形態と同様である。
そして、捕集装置１０３において、エアは先ず各接地電極板５２，５２や各放電電極５４間を通り、各突体５５により流路距離を長くし接地電極板５２・放電電極５４に一旦向かう状態で上昇する。エア内の微細な塵埃は、接地電極板５２・放電電極５４により充分に帯電する。尚、一部の塵埃は接地電極板５２に引き寄せられる。
こうしてエアは捕集装置延設部１０５の電極板１１０，１１０間に至り、微細な塵埃が帯電極性と逆の極の電極板１１０に引き付けられ、上方に排出するエアから塵埃が除去される。つまり、電極板１１０，１１０・・は、帯電した塵埃を吸着する吸着極の役割を担う。尚、塵埃が電極板１１０により帯電する場合もある。
【００２７】
以上の集塵機１０１では、電気式の捕集装置１０３が、電極板１１０，１１０・・を有する捕集装置延設部１０５を備えるものであり、放電用の接地電極板５２・放電電極５４の上に吸着用の電極板１１０，１１０・・が設けられたものとなっているので、捕集のためのエアの通過距離を長くすることができるし、接地電極板５２・放電電極５４で充分に帯電された塵埃を電極板１１０，１１０・・でしっかり捉えることができ、捕集の効率をより一層良好なものとすることができる。
尚、第２形態に関する発明を例示する。
（４）吸込口から吸われたエア内の塵埃を集める集塵室と、
当該集塵室の下流側に設けられた、送風機を有する駆動部と、
当該駆動部の下流側に設けられた、塵埃を捕集する捕集装置と
を備えており、
前記捕集装置は、対の電極板を有する電気捕集装置であり、
前記電極板は、前記塵埃を帯電させる放電用電極板と、当該放電用電極板の上側に配置され、帯電させた前記塵埃を吸着する吸着用電極板を含む
ことを特徴とする集塵機。
【００２８】
［上記形態の変更例等］
尚、本発明は上記形態に限定されず、次にそれぞれ示す変更例を有するものである。
捕集装置につき、電気式のものに代えて、あるいは電気式のものと共に、（湿式）フィルタ式のもの等を用いる。
捕集装置の突体につき、電極板の一部を折り曲げることで形成する等、電極板の一部としたり、導電性のものとしたりする。
第２形態に係る捕集装置上部の仕切や電極板につき、捕集装置下部の仕切等と揃えないようにしたり、捕集装置下部の仕切等の数に対して増減したり、下部の電極板と電源を共通化し、あるいは別個独立のものとしたりする。又、捕集装置上部にも突体を配置する。
【００２９】
集塵ケースを、下部が後方に延設された雁首状の形状ではなく直方体状とし、Ｌ字ダクトの下面が集塵ケースの下面と揃うような配置とする。
ネジ止めする部分の数を増減する。ネジ止めに代えて、あるいはネジ止めと共に、ピン留めや爪による係止あるいはこれらの組合せ等とする。他の固定に関し、同様に他の形態に変える。捕集装置の載置において、ネジ止め等を用いて強く固定する。
小サイクロンを省略したり、小サイクロンを５個以下あるいは７個以上にする。小サイクロンの大きさや、ボックス本体に対する相対的な大きさを、大きくしたり、小さくしたりする。小サイクロン下部のテーパ部の角度や全体に占める割合、あるいは小サイクロン下の孔の大きさや連結部に対する大きさの割合や、当該孔や連結部の形状等、小サイクロンの形態を適宜変更する。各小サイクロンと連通する通路群を、上下３段構造等とする。
駆動部の冷却ファンを省略したり、上ケースの煙突部を無くしたりする。駆動部の送風機（モータ）の能力や各種ファンの大きさを増減する。送風機と捕集装置の電源を共通化したり、別個独立のものとしたりする。
Ｌ字ダクトにつき、起立部と載置台部を別体で互いに固定されるものとしたり、起立部を湾曲しないものとしたり、起立部を鉛直ではなく鉛直状態から後上がりあるいは後下がりに倒れた姿勢としたり、載置台部の下面を水平としたり、単一あるいは複数のリブを別体として載置台部の内部に取り付けたりする。Ｌ字ダクトのリブにつき、斜行リブの斜行角度を増減したり、斜行リブと小リブのなす角度を増減したり、一部のリブについて当該角度を異なるものとしたり、これらの角度について３種以上有することとしたり、斜行リブと小リブの高さを揃えるか、あるいは小リブの方を高くしたり、高さについて複数種類があるようにしたりする。載置板を省略し、その小孔の大きさや形状、密度や配置、分布等を変更する。
【符号の説明】
【００３０】
１，１０１・・集塵機、２・・集塵室、４・・駆動部、６・・捕集装置、８・・Ｌ字ダクト、２１・・小サイクロン群、３５・・送風機、６０・・（Ｌ字ダクトの）起立部、６１・・（Ｌ字ダクトの）載置台部（水平部）、７１，７１ａ・・リブ、１０５・・捕集装置延設部。
【図１】
2014018527.tif 000003
【図２】
2014018527.tif 000004
【図３】
2014018527.tif 000005
【図４】
2014018527.tif 000006
【図５】
2014018527.tif 000007
【図６】
2014018527.tif 000008
【図７】
2014018527.tif 000009
【図８】
2014018527.tif 000010
【図９】
2014018527.tif 000011
【図１０】
2014018527.tif 000012
【図１１】
2014018527.tif 000013
【図１２】
2014018527.tif 000014
【図１３】
2014018527.tif 000015